(57)【要約】【課題】放熱板フックと蓋フックとを上下に重ねた状態で互いに同方向にスライド可能に設けた構造を備えながら、放熱板フックと放熱板とを円滑に係合させられる炊飯器を提供する。【解決手段】炊飯器を、その放熱板フック６０は、フック部６２の傾斜面６２ｂにフック受け部４７が上向きに押し付けられると進出し、放熱板４０がヒータカバー２９の突出部３０に接触すると、フック受け部４７が傾斜面６２ｂを乗り越えてフック部６２に係合するように設け、蓋本体２０には、放熱板フック６０が進出中にフック部６２の補強リブ６２ｃの水平面６２ｄと接触し、このフック部６２を上下方向において同位置に保つフック支持部２５ａを設けた。【選択図】図１
2006187418.tif 000002
【特許請求の範囲】
【請求項１】
内鍋を収容する炊飯器本体に開閉可能に取付けられた蓋本体と、この蓋本体下面に対して着脱される放熱板とを備え、上記蓋本体内に上記放熱板の外周部に係合する放熱板フックと炊飯器本体側のフック受け部に係合する蓋フックとを上下に重ねた状態で互いに同方向にスライド可能に設け、上記放熱板フック下面に上下方向に対して傾斜面をもったフック部を下向きに突設し、上記傾斜面に上記外周部が上向きに押し付けられると上記放熱板フックが進出し、上記放熱板が蓋本体下面に接触すると、上記外周部が上記傾斜面を乗り越えて上記フック部に係合する炊飯器において、上記蓋本体に、上記放熱板フックが進出中に上記フック部の上面と接触し、このフック部を上下方向において同位置に保つフック支持部を設けたことを特徴とする炊飯器。
【発明の詳細な説明】
【技術分野】
【０００１】
この発明は、蓋本体下面に対して着脱される放熱板を備えた炊飯器に関する。
【背景技術】
【０００２】
従来から、蓋本体の下面を構成する下板下面に内鍋を密閉する放熱板を着脱可能に設け、炊飯器本体側のフック受け部に係合される蓋フックと上記放熱板の外周部に係合する放熱板フックとを上下に重ねた状態で互いに同方向にスライド可能に設けた炊飯器が実用化されている（特願２００３−３９２５７４号参照）。
【０００３】
上記蓋フックは、その進退方向両側に形成されたガイド片が、上記下板上面に設けられたガイド溝に挿入されており、上記蓋フックは上記放熱板フック上に重なった状態で蓋正面壁に対して進退動するようになっている。
【０００４】
上記放熱板フックは、下板上をスライドするプレート部と、この前端から蓋本体下面に露出するように突出し、後退方向に向いたフック部とを有する。このフック部の下端には、上下方向において前下がりの傾斜面が形成されている。
【０００５】
上記放熱板フックは、上記傾斜面が上記外周部により上向きに押されると進出し、上記放熱板が蓋本体下面に接触するのと同時的に、上記外周部が傾斜面を乗り越えると、上記放熱板フックは付勢ばねにより後退させられ、上記フック部に上記外周部が嵌って係合するようになっている。
【発明の開示】
【発明が解決しようとする課題】
【０００６】
ところが、上記の炊飯器では、円滑なスライドを得るため、蓋フックのガイド片とガイド溝との間に上下方向のギャップを僅かに設ける必要がある。また、放熱板フックと蓋フックが上下に重なった状態で互いにスライドするように設けられているので、放熱板フックと蓋フックとの間にも僅かながら上下方向のギャップが生じる。
【０００７】
しかしながら、上記のようなギャップがあると、上記放熱板の外周部が上記傾斜面に当たった際に上記蓋フックが上方にガタつき、放熱板フックはより上方にガタつく。さらに、上記フック部は、放熱板により上向きに押されるので、上方の反りを生じる。これらが原因となって、上記放熱板が蓋本体下面に接触した状態になっても、その外周部が傾斜面の上端まで上下方向において０．５ｍｍから１ｍｍ程度届かず、まだ傾斜面を乗り越えていない場合があった。
【０００８】
このような場合、上記放熱板が蓋本体下面に接触した状態から放熱板の外周部付近を強く押し込み、上記外周部と放熱板フックとを無理やり係合させざるを得ないため、製品の使用感に悪影響を及ぼす。
【０００９】
そこで、この発明の課題は、放熱板フックと蓋フックとを上下に重ねた状態で互いに同方向にスライド可能に設け、フック部の傾斜面に放熱板外周部が上向きに押し付けられると放熱板フックが進出し、上記放熱板が蓋本体下面に接触すると、上記外周部が上記傾斜面を乗り越えて上記フック部に係合する構造を備えながら、放熱板フックと放熱板とを円滑に係合させられる炊飯器を提供することにある。
【課題を解決するための手段】
【００１０】
上記の課題を解決するため、この発明は、内鍋を収容する炊飯器本体に開閉可能に取付けられた蓋本体と、この蓋本体下面に対して着脱される放熱板とを備え、上記蓋本体内に上記放熱板の外周部に係合する放熱板フックと炊飯器本体側のフック受け部に係合する蓋フックとを上下に重ねた状態で互いに同方向にスライド可能に設け、上記放熱板フック下面に上下方向に対して傾斜面をもったフック部を下向きに突設し、上記傾斜面に上記外周部が上向きに押し付けられると上記放熱板フックが進出し、上記放熱板が蓋本体下面に接触すると、上記外周部が上記傾斜面を乗り越えて上記フック部に係合する炊飯器において、上記蓋本体に、上記放熱板フックが進出中に上記フック部の上面と接触し、このフック部を上下方向において同位置に保つフック支持部を設けた構成を採用した。この構成によれば、上記放熱板フックの進出中において、上記蓋フックや上記放熱板フックに上方のガタつきが起きた場合でも、上記フック支持部と上記フック部との接触により上記フック部の上方変位は確実に防止される。また、上記フック部は、上方に変位しないため、反りを生じることもない。したがって、上記放熱板が上記蓋本体下面に接触した際、上記放熱板の外周部は確実に上記傾斜面を乗り越え、上記フック部と上記外周部とが円滑に係合するようになる。
【発明の効果】
【００１１】
以上に述べたように、この発明によれば、上記放熱板が上記蓋本体下面に接触した際、上記放熱板の外周部は確実に上記傾斜面を乗り越えるので、放熱板フックと蓋フックとを上下に重ねた状態で互いに同方向にスライド可能に設け、フック部の傾斜面に放熱板外周部が上向きに押し付けられると放熱板フックが進出し、上記放熱板が蓋本体下面に接触すると、上記外周部が上記傾斜面を乗り越えて上記フック部に係合する構造を備えながら、放熱板フックと放熱板とを円滑に係合させられる炊飯器を提供することができる。
【発明を実施するための最良の形態】
【００１２】
以下、この発明の実施形態に係る炊飯器を添付図面に基づいて説明する。
【００１３】
図１〜３に示すように、炊飯器は、内鍋１１を収容する炊飯器本体１０にヒンジ部（図示省略）を介して開閉可能に取付けられた蓋本体２０を備える。
【００１４】
蓋本体２０は、炊飯器本体１０の肩部１２の上面に開放する内鍋収容口を閉塞するようになっており、この上面を構成する上板２１とこの下面を構成する下板２２とを上下に一体化した外殻を有する。
【００１５】
上板２１には、内鍋１１と連通する蒸気口２３が設けられている。
【００１６】
下板２２の下面は、蒸気口２３の下方を含む平円形状の領域が上側に凹入しており、この凹入部２４は略水平面とされている。また、下板２２の下面の前端には上板２１の前端縁に嵌合する縦壁部２５が設けられている。
【００１７】
凹入部２４には、蒸気口２３に対応する開口２６が設けられており、この開口２６は、内鍋１１と蒸気口２３を連ねる蒸気通路を構成する。また、凹入部２４には、開口２６に対応する開口部２７が設けられており、その周囲に蓋ヒータ２８を装着したヒータカバー２９が取付けられている。ヒータカバー２９には、開口部２７の周囲を囲むように下向きに突出部３０が形成されている。開口２６の下端縁と開口部２７の縁とに嵌合されたシール３１が、下板２２とヒータカバー２９との間を密封している。
【００１８】
さらに、凹入部２４のヒータカバー２９の周囲に対しては、蓋本体２０が閉じた状態で内鍋１１を密閉する放熱板４０が上下方向に着脱可能に装着されている。放熱板４０は、ヒータカバー２９の開口部２７に対応する蒸気孔４１を設けた円盤状の放熱板本体４２と、この放熱板本体４２の外周鍔部４３に装着された放熱板パッキン４４と、放熱板パッキン４４を固定し、放熱板４０の外周部を構成する放熱板リング４５とからなる。また、放熱板リング４５の後端部には、一対の突片部４６、４６が設けられている。放熱板４０は、突片部４６、４６を凹入部２４の内周に設けられた差込口２４ａ、２４ａに差し込んだ状態でその前端側を凹入部２４の下面に向けて上方に押し付けられた際、放熱板本体４２がヒータカバー２９の突出部３０と当接することにより上方移動が規制されるようになっている。
【００１９】
また、凹入部２４の上面には、縦壁部２５に向けて水平部５０が形成されている。この水平部５０には、図４〜図６に示すように、対向一対の前後方向壁面を有するアングル壁５１と、アングル壁間において前後方向に平行して延びる２条のガイドレール５２と、ガイドレール間でこれらと平行する支持レール５３と、ガイドレール５２および支持レール５３と縦壁部２５との間において下板２２を上下に貫通する通し孔５４とが設けられている。
【００２０】
この水平部５０上には、放熱板４０の放熱板リング４５に係合する放熱板フック６０と炊飯器本体１０側のフック受け部１３に係合する蓋フック７０とを上下に重ねた状態で互いに同方向（この実施形態では前後方向）にスライド可能に設けられている。
【００２１】
放熱板フック６０は、平板状のプレート部６１と、このプレート部６１の前端から下向きに延ばされたフック部６２とを有する。プレート部６１は、後端側の幅がアングル壁５１間と同幅に設けられており、この後端側の下面には、一対のガイドリブ６１ａが突設されている。プレート部６１は、アングル壁５１と後端側の両側縁が接触し、ガイドレール５２の各内側面にガイドリブ６１ａの各外側面が摺接することにより、進退方向に案内されるようになっている。また、ガイドレール５２と支持レール５３とにより、プレート部６１の下方向の位置決めがなされている。
【００２２】
また、プレート部６１の後端側には、放熱板フック６０を後退方向に付勢するトーションばね６３の引掛け部６４が立設されており、このトーションばね６３の各ばね片部は、それぞれ対応するアングル壁５１の切欠き５１ａに係止されている。
【００２３】
さらに、プレート部６１には、進退方向に向けて矩形孔６５が設けられており、この矩形孔６５の後端縁は、蓋フック７０を進出方向に付勢するコイルばね６６の後端側を嵌めるばね装着部６５ａとされている。
【００２４】
上記のプレート部６１の前端に連設されたフック部６２は、水平部５０の通し孔５４から下向きに突出するように延ばされ、かつ後退方向に向けられたフック状部６２ａを有する。このフック状部６２ａは、後退方向に放熱板リング４５の外周に形成されたフック受部４７と係合し、係合状態でフック受部４７の下面を上方に支持するようになっている。
【００２５】
上記のフック状部６２ａの下端部には、上下方向に対して前下がりの傾斜面６２ｂと、この傾斜面６２ｂの上面両側に進退方向と平行する向きに設けられた三角板状の補強リブ６２ｃとが形成されている。
【００２６】
傾斜面６２ｂは、放熱板４０を装着する際、そのフック受部４７を上向きに押し付けられると、放熱板フック６０を進出させ、放熱板４０の放熱板本体４２がヒータカバー２９の突出部３０に接触すると、フック受部４７がこの傾斜面６２ｂを乗り越え、放熱板フック６０が後退してフック状部６２ａとフック受部４７とが係合するように設けられている。
【００２７】
補強リブ６２ｃは、傾斜面６２ｂの上面から前方側に突出する水平面６２ｄを有する。この水平面６２ｄは、放熱板フック６０が進退いずれの位置にある状態においても、縦壁２５のフック部６２と対応する両側幅に設けられた切欠きからなるフック支持部２５ａの下面と水平に接触するように設けられている。これにより、補強リブ６２ｃの水平面６２ｄは、放熱板フック６０の進出中ないし後退中において、フック支持部２５ａの下面と確実に水平接触し、フック部６２を上下方向において同位置に保つようになっている。
【００２８】
一方、蓋フック７０は、放熱板フック６０のプレート部６１上に重なる平板部７１と、この平板部７１の前方側の両側に設けられたテーパ部７２と、このテーパ部７２から下方に屈曲したフック部７３と、テーパ部７２とフック部７３との間に開口し、放熱板フック６０のフック部６２が挿通される合せ孔７４とを有する。
【００２９】
平板部７１は、後方側の両側から突出するガイド片７１ａを有する。ガイド片７１ａは、テーパ部７２と両側幅が同一となるように設けられており、水平部５０のアングル壁５１と通し孔５４との間に設けられたガイド溝５５に挿通されている。ガイド溝５５は、ガイド片７１ａの各外側面と緩やかに進退方向に摺接するガイド壁５５ａと、平板部７１の上方移動を僅かに余裕をもって規制する逆Ｔ字状リブ５５ｂと、逆Ｔ字状リブ５５ｂと通し孔５４との間に設けられた前壁５５ｃと、ガイドレール５３と上下方向において同高さに設けられた支持壁５５ｄとからなる。前壁５５ｃは、蓋フック７０が進出位置にある状態でガイド片７１ａの前面と当たるように設けられている。
【００３０】
また、平板部７１には、放熱板フック６０の矩形孔６５に対応する位置に矩形孔７５が設けられており、放熱板フック６０のばね装着部６５ａが挿入されている。この矩形孔７５の前端縁は、コイルばね６６の前端側を嵌めるばね装着部７５ａとされており、これにより、コイルばね６６は、蓋フック７０と放熱板フック６０の進退動に応じて伸縮し、蓋フック７０を進出方向に付勢するようになっている。
【００３１】
テーパ部７２は、蓋本体２０の上板２１に軸支された操作ボタン８０の下面に突出する押出し部８１に押されると、フック部７３と肩部１２のフック受け部１３との係合が解除されるまで蓋フック７０を後退させるように設けられている。
【００３２】
フック部７３は、蓋フック７０が進出位置にある状態で、前端縁が上板２１の前端縁よりも前方側に突出するように直線状に設けられている。このフック部７３は、蓋本体２０の閉じ動作に伴い、肩部１２の上端縁と当たって後退した後にコイルばね６６の付勢により進出し、蓋本体２０が閉じ位置に至るとフック受け部１３に係合するようになっている。
【００３３】
上記のテーパ部７２とフック部７３との間に開口する合せ孔７４は、蓋フック７０が後退すると、その前端縁が放熱板フック６０のフック部６２に当り、蓋フック７０を後退方向に位置決めするように設けられている。
【００３４】
上記の構成における放熱板フック６０と蓋フック７０の動作について説明する。図７（ａ）、図８（ａ）に示すように、蓋本体２０に放熱板４０を装着していない状態では、フック部６２にフック受部４７が係合していないため、放熱板フック６０は、フック部６２の水平面６２ｄが縦壁部２５のフック支持部２５ａの下面に水平に接触した状態で、トーションばね６３の付勢力により後退した位置にある。蓋フック７０も、コイルばね６６を介してこれに従動することにより後退位置にスライドした状態にあり、フック部７３は、上板２１の前端縁よりも後退した位置になっている。ここで、蓋本体２０に放熱板４０を装着していくと、フック受部４７がフック部６２の傾斜面６２ｂを上方に押圧し、これに伴い、放熱板フック６０は、フック部６２の水平面６２ｄがフック支持部２５ａに水平に接触した状態を保ったままトーションばね６３の付勢力に抗して進出する。
【００３５】
そして、図７（ｂ）、図８（ｂ）に示すように、放熱板４０がヒータカバー２９の突出部３０に接触すると、フック受部４７は、傾斜面６２ｂを乗り越え、フック部６２に係合する。この係合により、放熱板フック６０は、トーションばね６３の付勢力に抗して進出した状態を維持する。また、蓋フック７０は、コイルばね６６を介して放熱板フック６０の進出に従動し、進出位置にスライドする。この状態でフック部７３が上板２１の前端縁より前方に突出し、肩部１２のフック受け部１３と係合可能な状態になる。
【００３６】
ここで、蓋本体２０を閉じていくと、フック部７３が肩部１２の上端縁に接触し、蓋フック７０がコイルばね６６の付勢力に抗して放熱板フック６０に対して後退する。そして、蓋本体２０を完全に閉じると、コイルばね６６の付勢力により蓋フック７０が進出し、フック部７３がフック受け部１３に係合する。そして、放熱板４０を取り外す場合には、指で放熱板フック６０を進出方向に押すと、フック部６２とフック受け部４７との係合が外れる。
【００３７】
なお、フック受け部１３は、図９に示すように、肩部１２の対応する位置にフック部７３の両側幅よりも僅かに幅広に設けられた窪み状に形成されており、その上壁部１３ａの幅方向中心上に、フック部７３との当り部になる逆Ｔ字状部１４が設けられた構造となっている。このようにフック部７３との当り部を逆Ｔ字状にすると、逆Ｔ字状部１４と上壁部１３ａとの連続部が肉薄になるので、肩部１２にヒケが生じ難くなる。また、逆Ｔ字状部１４は、幅方向中心上に幅をもって設けられているので、従来のように複数のリブ部をフック受け部１３の両側に設けた場合と比して、蓋本体２０が横ずれして閉じ位置に至った際にフック部７３が片係りになり難い。
【００３８】
次に、蓋本体２０を開放する場合、操作ボタン８０を下向きに押すと、蓋フック７０のテーパ部７２が押出し部８１により後退方向に押される。これに伴い、蓋フック７０は、コイルばね６６を収縮させながら放熱板フック６０に対して後退する。これにより、フック部７３が上板２１の前端縁よりも後退し、フック受け部１３との係合が解除される（図６参照）。
【図面の簡単な説明】
【００３９】
【図１】実施形態に係る炊飯器の放熱板フック付近の部分拡大縦断側面図。
【図２】同上の炊飯器の前方右斜め上方視を示す全体斜視図。
【図３】同上の炊飯器の放熱板を取り外した状態の前方右斜め上方視を示す斜視図。
【図４】同上の放熱板フックと蓋フックの前方右斜め上方視を示す分解斜視図。
【図５】（ａ）同上の放熱板フックと蓋フックの前方右斜め上方視を示す斜視図。（ｂ）同上の放熱板フックと蓋フックの上面視を上板を切欠いて示す上面図。
【図６】同上の操作ボタンの動作時における放熱板フック付近を示す部分拡大縦断側面図。
【図７】（ａ）同上の放熱板を装着している状態の蓋本体の放熱板フック付近の前方右斜め上方視を示す斜視図。（ｂ）同上の放熱板を装着した状態の蓋本体の放熱板フック付近の前方右斜め上方視を示す斜視図。
【図８】（ａ）図７（ａ）図の放熱板フック付近を示す部分拡大縦断側面図。（ｂ）図７（ｂ）図の放熱板フック付近を示す部分拡大縦断側面図。
【図９】（ａ）同上の肩部のフック受け部付近を示す部分拡大斜視図。（ｂ）（ａ）図のフック受け部付近の後方視を示す部分拡大後面図。（ｃ）（ａ）図のフック受け部にフック部が係合する様子の上面視を示す部分拡大上面図。
【符号の説明】
【００４０】
１０  炊飯器本体
１１  内鍋
１２  肩部
１３  フック受け部
１３ａ  上壁部
１４  逆Ｔ字状部
２０  蓋本体
２１  上板
２２  下板
２３  蒸気口
２４  凹入部
２４ａ  差込口
２５  縦壁部
２６  開口
２７  開口部
２８  蓋ヒータ
２９  ヒータカバー
３０  突出部
３１  シール
４０  放熱板
４１  蒸気孔
４２  放熱板本体
４３  外周鍔部
４４  放熱板パッキン
４５  放熱板リング
４６  突片部
４７  フック受部
５０  水平部
５１  アングル壁
５１ａ  切欠き
５２  ガイドレール
５３  支持レール
５４  通し孔
５５  ガイド溝
５５ａ  ガイド壁
５５ｂ  逆Ｔ字状リブ
５５ｃ  前壁
５５ｄ  支持壁
６０  放熱板フック
６１  プレート部
６１ａ  ガイドリブ
６２  フック部
６２ａ  フック状部
６２ｂ  傾斜面
６２ｃ  補強リブ
６２ｄ  水平面
６３  トーションばね
６４  引掛け部
６５  矩形孔
６５ａ  ばね装着部
６６  コイルばね
７０  蓋フック
７１  平板部
７１ａ  ガイド片
７２  テーパ部
７３  フック部
７４  合せ孔
７５  矩形孔
７５ａ  ばね装着部
８０  操作ボタン
８１  押出し部
【図１】
2006187418.tif 000003
【図２】
2006187418.tif 000004
【図３】
2006187418.tif 000005
【図４】
2006187418.tif 000006
【図５】
2006187418.tif 000007
【図６】
2006187418.tif 000008
【図７】
2006187418.tif 000009
【図８】
2006187418.tif 000010
【図９】
2006187418.tif 000011